(57)【要約】【課題】大きなインパクトを与える立体的な装飾物を容器本体の台座部の内部の空間部に収容してこれを長期間にわたって楽しむことのできる装飾付ガラス容器を提供する。【解決手段】上方に開口部４が形成されるとともに周壁５と底部６とからなる透明な容器本体２と、この容器本体２の周壁５から下方に延びるとともに内部に空間部８が形成される有底の透明な台座部３とからなり、空間部８には化学的にまたは乾燥により保存処理が施された生花または草植物からなる立体的な装飾物９を収容する。【選択図】図１
0003110371.tif 000002
【実用新案登録請求の範囲】
【請求項１】
上方に開口部が形成されるとともに周壁と底部とからなる透明な容器本体と、この容器本体の周壁から下方に延びるとともに内部に空間部が形成される有底の透明な台座部とからなり、空間部には化学的にまたは乾燥により保存処理が施された生花または草植物からなる立体的な装飾物が収容されていることを特徴とする装飾付ガラス容器。
【請求項２】
上方に開口部が形成されるとともに周壁と底部とからなる透明な容器本体と、この容器本体の周壁から下方に延びるとともに内部に空間部が形成される有底の透明な台座部とからなり、空間部には生花または草植物を模造してなる立体的な装飾物が収容されていることを特徴とする装飾付ガラス容器。
【請求項３】
容器本体の底部は中央が縁よりも厚い集光レンズ形状とされていることを特徴とする請求項１ないし請求項１または請求項２に記載の装飾付ガラス容器。
【請求項４】
台座部の底面には空間部を下方から閉塞する蓋部が着脱自在に装着されていることを特徴とする請求項１ないし請求項３に記載の装飾付ガラス容器。
【請求項５】
蓋部の上面に装飾物を取り付けるための取り付け部が設けられていることを特徴とする請求項１ないし請求項４に記載の装飾付ガラス容器。
【請求項６】
台座部の空間部の内容積は容器本体の内容積の１／３〜１／５であることを特徴とする請求項１ないし請求項５に記載の装飾付ガラス容器。
【考案の詳細な説明】
【技術分野】
【０００１】
本考案は、飲み物用のグラスやサラダボウルなどの透明なガラス容器に係り、特に容器本体の台座部の内部の空間部に立体的な装飾物を収容してこれを楽しむことのできる装飾付ガラス容器に関する。
【背景技術】
【０００２】
この種の容器として、透明なコップの底部に外側から乾燥押し花を取り付けるようにしたもの（特許文献１参照）や、上方に開口部が形成され、周壁と底部とよりなる所定の材質のコップであって、コップの底部の空間部に装飾物を収容するようにしたもの（特許文献２参照）、が知られている。
【０００３】
【特許文献１】実開平６−７５６７号公報
【特許文献２】特開２０００−２７０９９０号公報
【考案の開示】
【考案が解決しようとする課題】
【０００４】
しかし、特許文献１に開示されたコップは、花の具象的な絵柄として乾燥押し花をコップの底部外側に取り付けるに過ぎず、平面的な装飾の域を超えておらず、大きなインパクトを与えるには至っていない。
【０００５】
また、特許文献２に開示されたコップは、立体的な装飾物を楽しむことができるものの、使用者の好みに応じて、装飾物を入れ替えできるようにはなっておらず、一つのコップについて一つの装飾物のみを楽しむことができるに過ぎなかった。
【０００６】
本考案の第1の目的は、大きなインパクトを与える立体的な装飾物を容器本体の台座部の内部の空間部に収容して、飲食しながら同時に鑑賞し、これを長期間にわたって楽しむことのできる装飾付ガラス容器を提供することにある。
【０００７】
また、本考案の他の目的は、台座部の空間部に収容する装飾物を好みに応じて入れ替えできるようにして、一つの容器で様々な場面、場所に応じた楽しみを提供することのできる装飾付ガラス容器を提供することにある。
【課題を解決するための手段】
【０００８】
上記の課題を解決するために、本考案の請求項１に係る装飾付ガラス容器は、上方に開口部が形成されるとともに周壁と底部とからなる透明な容器本体と、この容器本体の周壁から下方に延びるとともに内部に空間部が形成される有底の透明な台座部とからなり、空間部には化学的にまたは乾燥により保存処理が施された生花または草植物からなる立体的な装飾物が収容されていることを特徴とする。
【０００９】
請求項１に係る装飾付ガラス容器によると、容器本体の台座部の内部の空間部に化学的にまたは乾燥により保存処理が施された生花または草植物からなる立体的な装飾物を収容したから、生花等と同様な新鮮でみずみずしい外観を保持したままの立体的な装飾物や生花等に極めて近い形状・色をもつ立体的な装飾物を、飲食しながら同時に鑑賞し、これを長期間にわたって楽しむことができる。
【００１０】
容器本体内に注いだ水や飲料、お酒等をとおして容器本体の底から、あるいは側方から生花等と同様の外観を保持したままの装飾物を楽しむことができ、たとえば、ロックグラス、ワイングラス等に用いることによって、お酒と一緒に生花等と同様に美しいままの外観の装飾物を長期間にわたって楽しむことができる。この場合、自分の好きな生花等を収容して楽しむことができる。
【００１１】
ガラス容器は、通常のガラス製コップのほか、ロックグラス、ワイングラス等の専用グラスが含まれる。また、飲料用だけでなく、サラダやフルーツを盛り合わせるガラス製のサラダボウル、フルーツボウルなどが含まれる。
【００１２】
ガラス容器の材質は、通常のガラス材質のほか、鉛入り等のクリスタルガラスも含まれる。容器本体の底部や台座部の側方から内部の空間部に収容された装飾物を透視できるように、ガラス容器は透明であることが必要とされる。ここでいう透明には、無色透明、有色透明、半透明のいずれの場合も含まれ、外部から内部が肉眼で透視できればよい。
【００１３】
立体的な装飾物は、切花等の生花または草花等の草植物からなり、これらの組み合わせも含まれる。また、その他の装飾物が追加的に含まれていても良い。
【００１４】
生花または草植物を化学的に保存処理する方法としては、たとえば、切花（生花）の細胞組織内の水、即ち組織水を色素と共にアセトンによって脱水した後、ポリエチレングリコールを浸透して、組織水をポリエチレングリコールによって置換し、色素により染色を行うようにしたものがあり、脱水、浸透、乾燥の各工程を順次経て処理を行う方法、あるいは、脱水溶媒としてアセトンにエチルアルコールを混合して使う方法、アセトンを廃止して各種アルコールを浸漬溶液として使う方法などがある。
【００１５】
生花または草植物を乾燥により保存処理する方法としては、生花等を加熱して乾燥する方法、生花等をシリカゲルに埋設して乾燥する方法、生花等をアルコール等で脱水して乾燥する方法などがある。乾燥して保存処理されたものとしてドライフラワーがある。
【００１６】
請求項２に係る装飾付ガラス容器は、上方に開口部が形成されるとともに周壁と底部とからなる透明な容器本体と、この容器本体の周壁から下方に延びるとともに内部に空間部が形成される有底の透明な台座部とからなり、空間部には生花または草植物を模造してなる立体的な装飾物が収容されていることを特徴とする。
【００１７】
請求項２に係る装飾付ガラス容器によると、容器本体の台座部の内部の空間部に生花または草植物を模造してなる立体的な装飾物を収容したから、生花等に近い形状・色をもつ立体的な装飾物（たとえば、造花など）を、飲食しながら同時に鑑賞し、これを長期間にわたって楽しむことができる。
【００１８】
生花または草植物を模造した造花等の材料としては、紙、布、プラスチックなどがあり、硬化性シリコン樹脂液などを塗布することによって、生花等により近い形状・感触・色を出すことが可能である。
【００１９】
請求項３に係る装飾付ガラス容器は、容器本体の底部が中央が縁よりも厚い集光レンズ形状であることを特徴とする。
【００２０】
請求項３に係る装飾付ガラス容器によると、レンズ形状の底部を通してその下の装飾物が拡大して見えるので、視覚的な効果が高まる。さらに、容器本体内に注がれる水、飲料、お酒などを通して見ることにより、装飾物が浮き上がって見え、一層視覚的な効果が高まる。
【００２１】
請求項４に係る装飾付ガラス容器は、台座部の底面に空間部を下方から閉塞する蓋部が着脱自在に装着されていることを特徴とする。
【００２２】
請求項４に係る装飾付ガラス容器によると、容器本体の台座部の内部の空間部を下から閉塞する蓋部を着脱することにより、台座部の空間部に収容する装飾物を好みに応じて入れ替えすることができる。自分の好きな生花等を入れ替えたり、四季に応じて生花等を入れ替えたり、月毎に生花等を入れ替えたりして、生花等を楽しむことができる。
【００２３】
請求項５に係る装飾付ガラス容器は、蓋部の上面に装飾物を取り付けるための取り付け部が設けられていることを特徴とする。
【００２４】
請求項５に係る装飾付ガラス容器によると、蓋部の上面の取り付け部に装飾物を取り付けることにより、グラスを傾けても装飾物が移動したり、内壁にぶつかったりして装飾物を傷つけたりすることがない。また、装飾物が多数の構成品からなる場合には、それぞれの構成品がばらばらになったりすることがないので、当初の装飾的効果を維持することができる。
【００２５】
請求項６に係る装飾付ガラス容器は、台座部の空間部の内容積が容器本体の内容積の１／３〜１／５であることを特徴とする。
【００２６】
請求項６に係る装飾付ガラス容器によると、台座部の空間部の内容積を容器本体の内容積の１／３〜１／５とすることで、容器全体に占める台座部の空間部の大きさが大き過ぎず小さ過ぎず、装飾的効果を有効に発揮することができる。
【考案の効果】
【００２７】
本考案の装飾付ガラス容器によると、容器本体の台座部の内部の空間部に化学的にまたは乾燥により保存処理が施された生花または草植物からなる立体的な装飾物を収容したから、生花等と同様な新鮮でみずみずしい外観を保持したままの立体的な装飾物や生花等に極めて近い形状・色をもつ立体的な装飾物を、飲食しながら同時に鑑賞し、これを長期間にわたって楽しむことができる。
【００２８】
また、容器本体の台座部の内部の空間部を下から閉塞する蓋部を着脱できるようにしたから、台座部の空間部に収容する装飾物を好みに応じて入れ替えすることができ、一つの容器で様々な場面、場所に応じて楽しむことができる装飾付ガラス容器を得ることができる。
【考案を実施するための最良の形態】
【００２９】
以下、本考案に係る装飾付ガラス容器について、第1の実施の形態を図１ないし図３を参照して説明する。図１および図２において、本考案に係る装飾付ガラス容器であるグラス１は、透明な容器本体２と、透明な台座部３とからなる。容器本体２は、上方に開口部４が形成されるとともに、円筒状の周壁５とその下端の底部６とからなる。
【００３０】
台座部３は、容器本体２の周壁５の下端から下方に円筒状の周壁７が延びており、内部に空間部８が形成されている。この空間部８には装飾物９が収容されるとともに、周壁７の下端開口部７ａは円板状の蓋部１０によって閉塞されている。この蓋部１０は、周壁７の下端開口部７ａに着脱自在に装着されている。台座部３の空間部８の内容積は、容器本体２の内容積の約１／４の大きさとされている。
【００３１】
すなわち、蓋部１０の上面周縁部から立設する環状立設部１０ａの内周面に形成されたねじ部１０ｂと、周壁７の下端から下方に突出する環状突出部７ｂの外周面に形成されたねじ部７ｃとを螺合させることにより、蓋部１０が台座部３の底面に着脱可能に装着されている。
【００３２】
周壁７の下端の環状突出部７ｂの外周面と周壁７の外周面との間には段部７ｄが形成されており、この段部７ｄに蓋部１０の環状立設部１０ａが収容されることで、台座部３の周壁７の外周面と蓋部１０の外周部とが面一とされ、グラスの装飾的な効果を損なうことがない。
【００３３】
容器本体２の底部６は、その中央部分が縁部分よりも厚くされた集光レンズ形状とされており、容器本体２の内部に水やお酒を注ぐことで、底部６を通して、その下の台座部３の空間部８に収容された装飾物９が拡大されるとともに浮き上がって見えるようになっている。
【００３４】
以上のように構成されたグラス１には、図３に示すように、台座部３の下の蓋部１０を外して、内部の空間部８に好みの立体的な装飾物９を収容し、再び蓋部１０を装着して、グラスの底の立体的な装飾物９を眺めつつ、お酒等を楽しむことができる。蓋部１０を外せば、装飾物９を別の立体的な装飾物と入れ替えて楽しむことができる。
【００３５】
立体的な装飾物９は、化学的に保存処理が施された生花（切花）であり、本実施形態ではバラの花が使用されている。この立体的な装飾物９は、空間部８に収容できるものであれば、好みに応じて自由に選択することができる。立体的な装飾物９を収容することにより、上からも横からも眺めて楽しむことができる。その他の追加的な装飾物（生花、草花、ドライフラワー、宝石類、ミニカーなどの小型ホビー玩具など）と一緒に収容することもできる。
【００３６】
立体的な装飾物９は、蓋部１０の上面に固定するようにしてもよい。また、蓋部１０は台座部３の底面として周壁７と一体的に設けるようにしてもよい。
【００３７】
図４は、本考案に係る装飾付ガラス容器の第２の実施形態であるワイングラスを示している。図４において、ワイングラス１１は、透明な容器本体１２と、透明な台座部１３とからなる。容器本体１２は、上方に開口部１４を形成するとともに、円筒状の周壁１５と底部１６とからなり、周壁１５から底部１６にかけて滑らかに湾曲形成されている。
【００３８】
台座部１３は、容器本体１２の周壁１５の下端付近から下方に円筒状の周壁１７が滑らかに凹状に湾曲形成されるとともに、さらに下端に向けて凸状に湾曲形成されている。この周壁１７の内部には空間部１８が形成され、この空間部１８には立体的な装飾物１９が収容されている。そして、台座部１３の周壁１７の下端開口部１７ａは円板状の蓋部２０によって閉塞されている。なお、台座部１３の空間部１８の内容積は容器本体１２の内容積の約１／４の大きさとされている。
【００３９】
立体的な装飾物１９は、化学的に保存処理が施された生花（切花）であり、本実施形態ではユリの花がその茎とともに使用されている。
【００４０】
この蓋部２０は、周壁１７の下端開口部１７ａに着脱自在に装着されている。蓋部２０は、周壁１７の下端内周面の周凹部１７ｂに蓋部２０の外周面の周凸部２０ａを嵌め合わせることで、ワンタッチで装着できるようになっている。この蓋部２０は可撓性のある透明なプラスチック樹脂からなり、指等で凹ませることによって簡単に外すことができるようになっている。蓋部２０の上面には立体的な装飾物１９を取り付けるための剣山からなる取り付け部２０ｂが貼り付けられている。
【００４１】
図５は、本考案に係る装飾付ガラス容器の第３の実施形態であるフルーツボウル２１を示している。図５において、フルーツボウル２１は、透明な容器本体２２と、透明な台座部２３とからなる。容器本体２２は、上方に開口部２４を形成するとともに、全体として半球状の周壁２５と底部２６とからなる。この底部２６は中央部分が縁部分よりも厚くされた集光レンズ形状とされている。
【００４２】
台座部２３は、周壁２７がお椀を伏せた形状とされており、周壁２７の内部に空間部２８が形成されるとともに、この空間部２８に、乾燥により保存処理が施された生花（ドライフラワー）と、生花または草植物を模造してなる造花との組み合わせからなる立体的な装飾物２９が収容されている。そして、台座部２３の周壁２７の下端開口部２７ａは円板状の蓋部３０によって閉塞されており、この蓋部３０は、周壁２７の下端開口部２７ａに着脱自在に装着されている。この蓋部３０の上面には、多数の構成品からなる装飾物２９を取り付けるための取り付け部３０ａが貼り付けられている。なお、台座部２３の空間部２８の内容積は、容器本体２２の内容積の約１／４の大きさとされている。
【００４３】
図６は、本考案に係る装飾付ガラス容器の第４の実施形態であるサラダボウル３１を示している。図６において、サラダボウル３１は、透明な容器本体３２と、透明な台座部３３とからなる。容器本体３２は、上方に開口部３４を形成するとともに、全体としてお椀型の周壁３５と底部３６とからなる。この底部３６は中央部分が縁部分よりも厚くされた集光レンズ形状とされている。
【００４４】
台座部３３は、周壁３７が下に向かうに従い末広がりとなる形状とされており、周壁３７の内部に空間部３８が形成されるとともに、この空間部３８に乾燥処理が施された生花（切花）の組み合わせからなる装飾物３９が収容されている。そして、台座部３３の周壁３７の下端開口部３７ａは円板状の蓋部４０によって閉塞されており、この蓋部４０は、周壁３７の下端開口部３７ａに着脱自在に装着されている。なお、台座部３３の空間部３８の内容積は、容器本体３２の内容積の約１／４の大きさとされている。
【産業上の利用可能性】
【００４５】
本考案の装飾付ガラス容器は、飲食店や一般家庭などにおいて使用することができる。
【図面の簡単な説明】
【００４６】
【図１】本考案に係るグラスの一部を断面視した正面図、
【図２】同グラスの平面図、
【図３】同グラスの蓋部を外した状態を示す正面図、
【図４】本考案に係るワイングラスの一部を断面視した正面図、
【図５】本考案に係るフルーツボウルの一部を断面視した正面図、
【図６】本考案に係るサラダボウルの一部を断面視した正面である。
【符号の説明】
【００４７】
１  グラス（装飾付ガラス容器）
２，１２，２２，３３  容器本体
３，１３，２３，３３  台座部
４，１４，２４，３４  開口部
５，７，１５，１７，２５，２７，３５，３７  周壁
６，１６，２６，３６  底部
７ａ，１７ａ，２７ａ，３７ａ  下端開口部
７ｂ  環状突出部
７ｃ，１０ｂ  ねじ部
７ｄ  段部
８  空間部
９  装飾物
１０，２０，３０，４０  蓋部
１０ａ  環状立設部
１１  ワイングラス（装飾付ガラス容器）
２０ｂ，３０ａ  取付物
２１  フルーツボウル（装飾付ガラス容器）
３１  サラダボウル（装飾付ガラス容器）
【図１】
0003110371.tif 000003
【図２】
0003110371.tif 000004
【図３】
0003110371.tif 000005
【図４】
0003110371.tif 000006
【図５】
0003110371.tif 000007
【図６】
0003110371.tif 000008